(57)【要約】【課題】粉体または粒体の内容物を単純な操作で容易に一定量吐出でき、種々のボトルに取り付けるだけで計量機能が得られる定量吐出キャップを提供する。【解決手段】粉体状または粒体状の内容物を一定量吐出する定量吐出キャップ１であって、キャップ本体１０と中容器２０とからなり、キャップ本体は、天面板１１の中央に両端が開口した筒部１２が貫通する形で設けられ、筒部の上端の開口部１８に蓋１３が、天面板の周縁に周壁１６が、周壁の内側を周回してボトル３０の口部３１と係合する係合部が、係合部の内側を周回して中容器と嵌合する嵌合部がそれぞれ設けられ、中容器は上端縁２４でキャップ本体と嵌合し、胴部２１を有する第１計量部２６が上部に、テーパー部２２及び底筒部２３を有する第２計量部２７が下部に設けられ、筒部の下端１７はテーパー部および底筒部と離隔した状態に形成され、第１計量部に窓２５が開口されている。【選択図】図１
2019069795.tif 000002
【特許請求の範囲】
【請求項１】
粉体状または粒体状の内容物を一定量吐出する定量吐出キャップであって、キャップ本体と中容器とからなり、
前記キャップ本体は、天面板の中央に両端が開口した円筒状の筒部が貫通する形で設けられており、前記筒部の上端の開口部に蓋が開閉自在に設けられ、前記天面板の周縁から下方に向かう周壁が設けられ、前記周壁の内側を周回して容器の口部と係合するための係合部が設けられ、前記係合部の内側を周回して前記中容器と嵌合するための嵌合部が設けられ、
前記中容器は、上端縁で前記キャップ本体と嵌合し、胴部を有する第１計量部が上部に設けられ、テーパー部及び底筒部を有する第２計量部が下部に設けられ、前記筒部の下端は前記テーパー部および前記底筒部と離隔した状態で形成されており、前記第１計量部に窓が開口されていることを特徴とする定量吐出キャップ。
【請求項２】
前記係合部が、容器の口部と打栓嵌合により嵌合する構造、またはネジにより螺合する構造のいずれかであることを特徴とする請求項１に記載の定量吐出キャップ。
【請求項３】
前記第１計量部の容積が前記第２計量部の容積よりも大きいことを特徴とする請求項１または２のいずれかに記載の定量吐出キャップ。
【請求項４】
請求項１から３のいずれかに記載の定量吐出キャップが容器の口部に取り付けられた定量吐出容器。
【発明の詳細な説明】
【技術分野】
【０００１】
本発明は、塩、胡椒、粉末だしなどの調味料のような粉体または粒体の内容物を一定量吐出できる定量吐出キャップおよび定量吐出容器に関する。
【背景技術】
【０００２】
ガラス製やプラスチック製のボトルに充填された内容物を、１回の使用量を計量して取り出す方法としては、従来から計量スプーンやカップを用意して計量しながら取り出す方法が広く行われていたが、計量スプーンやカップを別に用意する手間や、無くさない様に保管する手間がかかることから、これらの用具が不要な、容器自体で内容物の一定量の計量と吐出が可能なボトルやキャップについて、これまで様々な発明や考案がなされてきた。例えば特許文献１には、容器本体に外側計量管を立設し、キャップ本体に内側計量管を垂設して外側計量管に挿入し、下端近傍に設けたスリットから内容物の粉体または粒体をスリットの高さに応じた一定量だけ内側計量管に取込み、内側計量管の頂部の開口から取り込まれた一定量の内容物を振り出せるとした粉体または粒体用の振り出し容器が開示されている。
【０００３】
しかしながら特許文献１に開示された容器は、容器本体とキャップの両方に特殊な構造が必要とされるため、それぞれ専用に設計された容器となり、手間もコストもかかるという問題があった。特に容器本体の内部に計量のための構造を設けるのは難易度が高く、十分な計量精度が得られない、広口となってしまう、大型の容器には適用が困難である、などという問題点があった。
【０００４】
また特許文献２には、計量キャップが開示され、上方に最終計量室、その下方に予備計量室を有し、最終計量室と予備計量室を連通する第２連通管と、予備計量室とボトルを連通する第１連通管を有し、ボトルを倒立させて第１連通管を通して予備計量室に導入した液体状の内容物を、ボトルを正立させて一定量にした後にボトルを押圧するなどして第２連通管を通して最終計量室に導き、最終計量室に設けられた開口部から取り出せる構造としており、液体の内容物に適用できるものである。
【０００５】
しかしながら特許文献２に開示された計量キャップは、液体の内容物に適用されるものであって、ボトルを倒立させて予備計量室に内容物を導入する際に、絶えず導入量を観察している必要があり手間がかかるほか、ボトルを正立させて一定量にした後に、最終計量室に導くためにボトルの側面などを手で押圧して導入するが、このような方法は液体の内容物であれば流動性が高いため可能であるが、粉体や粒体の内容物に対して行うのは困難であった。
【先行技術文献】
【特許文献】
【０００６】
【特許文献１】特開２００７−８４１０７号公報
【特許文献２】特許第３３１９１６０号公報
【発明の概要】
【発明が解決しようとする課題】
【０００７】
そこで本発明は、ボトル等から粉体状または粒体状の内容物を取り出す際、計量スプーンなどの別用具が不要であるばかりでなく、力加減などが不要な単純な操作だけで、容易に一定量吐出でき、また同じ操作を繰り返すだけで一定量の吐出が繰り返し行え、また専用のボトルが不要で種々のボトルに取り付けるだけで計量機能が得られる定量吐出キャッ
プ、および定量吐出容器を提供することを課題とする。
【課題を解決するための手段】
【０００８】
上記課題を解決するため、本発明の請求項１に係る発明は、
粉体状または粒体状の内容物を一定量吐出する定量吐出キャップであって、キャップ本体と中容器とからなり、
前記キャップ本体は、天面板の中央に両端が開口した円筒状の筒部が貫通する形で設けられており、前記筒部の上端の開口部に蓋が開閉自在に設けられ、前記天面板の周縁から下方に向かう周壁が設けられ、前記周壁の内側を周回して容器の口部と係合するための係合部が設けられ、前記係合部の内側を周回して前記中容器と嵌合するための嵌合部が設けられ、
前記中容器は、上端縁で前記キャップ本体と嵌合し、胴部を有する第１計量部が上部に設けられ、テーパー部及び底筒部を有する第２計量部が下部に設けられ、前記筒部の下端は前記テーパー部および前記底筒部と離隔した状態で形成されており、前記第１計量部に窓が開口されていることを特徴とする定量吐出キャップである。
【０００９】
また本発明の請求項２に係る発明は、
前記係合部が、容器の口部と打栓嵌合により嵌合する構造、またはネジにより螺合する構造のいずれかであることを特徴とする請求項１に記載の定量吐出キャップである。
【００１０】
また本発明の請求項３に係る発明は、
前記第１計量部の容積が前記第２計量部の容積よりも大きいことを特徴とする請求項１または２のいずれかに記載の定量吐出キャップである。
【００１１】
また本発明の請求項４に係る発明は、
請求項１から３のいずれかに記載の定量吐出キャップが容器の口部に取り付けられた定量吐出容器である。
【発明の効果】
【００１２】
本発明の請求項１の発明の定量吐出キャップによれば、粉体状または粒体状の内容物を充填したボトルの口部に取り付けると、まずボトルを倒立させることで中容器の窓を通じて第１計量部に内容物が導入され、次いでこれを正立させることで第１計量部に導入された内容物が第２計量部に移動すると共に、余分な量の内容物が窓から溢れてボトルに戻されることにより、第２計量部、なかでもその底筒部の部分に一定量の内容物が収納され、次いで筒部の上端の開口部の蓋を開けて筒部を開口させ、ボトルを倒立させると、底筒部の部分に収納された一定量の内容物が筒部を通って開口部から吐出されるため、吐出量を調整するための特別な動作をすることなく、倒立／正立／倒立（吐出）の自然な動作をするだけで一定量の吐出を行うことができる定量吐出キャップが得られる。また、吐出のためにボトルを倒立させたときに、ボトルの内容物が再び窓から第１計量部に流入するため、これを正立させると、第１計量部の内容物が第２計量部に移動して再び底筒部に一定量の内容物が収納されるため、さらにボトルを倒立させることで再度一定量の内容物を開口部から吐出させることができる。以下同様にボトルの正立／倒立を繰り返すことで、一定量の内容物の吐出を繰り返し行うことができる定量吐出キャップが得られる。
【００１３】
また請求項２の発明によれば、ボトルなどの容器の口部に取り付けて固定する部位である係合部が、打栓嵌合により嵌合する構造、またはネジにより螺合する構造として、一般的なガラスボトル、プラスチックボトルなどと共通性の高いものとすることで、口径の合うボトルであれば容易に取り付けることが可能で、既存のキャップと交換するなどして後付けの形でも広く適用できる定量吐出キャップを提供することができる。
【００１４】
また請求項３の発明によれば、第１計量部から第２計量部に内容物を移動させる際に、第２計量部の容積よりも第１計量部の容積が大きくなっていることにより、第２計量部で計量する量に対して必ず余剰分がある態様となり、第２計量部、特に底筒部には必ず所定の一定量の内容物が収納されることになり、１回の吐出量が所定の一定量より少なくなってしまうことがない定量吐出キャップが得られる。
【００１５】
また請求項４の発明によれば、ガラス瓶やＰＥＴボトル等、種々のボトルに請求項１から３のいずれかに記載の定量吐出キャップを取り付けることにより、または既存のキャップと取り替えて取り付けることにより、一定量の吐出が容易に行える定量吐出容器が得られる。
【図面の簡単な説明】
【００１６】
【図１】本発明の定量吐出キャップの縦断面図である。
【図２】本発明の定量吐出キャップの外観斜視図である。
【図３】本発明の定量吐出キャップの第二の実施形態の部分図である。
【図４】本発明の定量吐出キャップの第三の実施形態の部分図である。
【図５】本発明の定量吐出容器に内容物を充填した状態の断面図である。
【図６】内容物を充填した状態の容器を倒立させた断面図である。
【図７】倒立させた容器を再度正立させた状態の断面図である。
【図８】容器から内容物を吐出させる状態の断面図である。
【図９】一定量の吐出が終了した状態の容器の断面図である。
【発明を実施するための形態】
【００１７】
以下、本発明の実施の形態を詳細に説明する。なお、本発明は以下の実施形態に限定して解釈されるものではない。
【００１８】
図１は、本発明の定量吐出キャップの一実施形態をボトルの口部に係合した態様の縦断面図である。
本発明の定量吐出キャップ１は、天面板１１の中央に両端が開口した円筒状の筒部１２が貫通する形で設けられたキャップ本体１０に、上部に胴部２１を有する第１計量部２６が設けられ、下部にテーパー部２２及び底筒部２３を有する第２計量部２７が設けられた中容器２０がその上端縁２４で嵌合されて構成されている。中容器２０の上端縁２４が嵌合しているロック部１４からなる嵌合部はアンダーカット形状となっていて、インナーリング１５からなる係合部と共に天面板１１から上端縁２４を挟み込むように垂下する形で周設され、上端縁２４と嵌合して中容器２０をキャップ本体１０に固定している。天面板１１の周縁には下方に向かう周壁１６が周設され、周壁１６の下端部はアンダーカット形状となっていてインナーリング１５との間にボトル３０からなる容器の口部３１が打栓嵌合の態様で嵌合して固定される。なおボトル３０との嵌合の方法はここに示した打栓蓋に限定されず、ネジ蓋による嵌合でも良い。
【００１９】
中容器２０の外径は、計量する量に応じて、一定量に計量するための容積を第１計量部２６および第２計量部２７に確保でき、かつ胴部２１の側面とボトル３０の間に内容物が支障なく流動できる間隔が確保できれば特に限定されず、内容物の流動性などを勘案して適宜設計すれば良い。中容器２０の上部の矢印で示した範囲が第１計量部２６であり、円筒状の胴部２１からなり、胴部２１の側面に窓２５が開口している。また中容器２０の下部の矢印で示した範囲が第２計量部２７であり、胴部２１に連続してテーパー部２２、底筒部２３を有しており、底筒部２３は下端が閉塞している。テーパー部２２の傾斜角度は、内容物の粉体や粒体の流動性や安息角などに応じて滑り落ちやすい角度に適宜設定すれば良い。
【００２０】
窓２５は内容物を吐出させるためにボトル３０を倒立させたときに内容物が第１計量部２６に流入すると共に、再度正立させたときには第１計量部２６に流入した内容物が第２計量部２７に移動して計量される際に余分となった内容物が流出する開口である。窓２５の大きさは、内容物が円滑に第１計量部に流入できるよう、内容物の流動性や粒の大きさ、第１計量部の容積、１回に吐出する量などを勘案して幅および高さを適宜定めれば良い。また窓２５は図示したように１箇所に設けるだけでなく、胴部２１の周方向に沿って複数設けても良い。
【００２１】
底筒部２３と筒部１２の直径は同等であって良く、異ならせる場合は一方を１としたとき他方が０．８〜１．２の比率となる範囲であれば、内容物の吐出が支障なく行えるため好ましい。底筒部２３の容積は、１回に吐出する一定の吐出量に応じて適宜設計して定めれば良く、直径および上下方向の長さを適宜設定して、所定の容積が得られるようにすれば良い。また第１計量部２６の内容積は第２計量部２７の内容積よりも大きくなっていると第２計量部２７での計量がより安定して行えるため好ましい。
【００２２】
筒部１２の下端１７はテーパー部２２や底筒部２３から離隔した状態に形成されており、筒部１２は中容器２０に懸架された態様となっている。筒部１２の下端１７とテーパー部２２および底筒部２３の間隙を通って内容物が底筒部２３に流入および流出する。テーパー部２２が底筒部２３に向かって傾斜しているため、第２計量部２７に流入した内容物はボトル３０を正立させたとき底筒部２３に流入しやすくなっている。筒部１２と底筒部２３は軸線が略同一であるので、底筒部２３計量された内容物を吐出する際に、底筒部２３から筒部１２へ内容物が移動する際に途中で漏れてしまう虞が少なく、一定量の吐出を適切に行える。また筒部１２は、上端の開口部１８に筒部の上端と螺合した蓋１３が開閉自在に設けられており、蓋１３を螺解して開くことで内容物を開口部１８から吐出できる。
【００２３】
図２は、本発明の定量吐出キャップの一実施形態の外観斜視図である。キャップ本体１０は、天面板１１の中央に上下両端が開口した筒部１２が貫通する形で設けられており、筒部の上端には蓋１３が螺合して開閉自在となっている。天面板１１の周縁には下方に向かう蓋周壁１６が周設されている。天面板１１の外形は、ここでは円形であるが、これに限らず６角形や８角形などの多角形状でも良い。周壁１６の内側でキャップ本体１０に中容器２０が上端縁２４で嵌合されて一体となっており、中容器２０の胴部２１には窓２５が開口されている。中容器２０の下端側はテーパー部２２、底筒部２３が設けられ、閉塞している。
【００２４】
図３は、本発明の定量吐出キャップの第二の実施形態の縦断面図であり、この実施形態においては口部４１にネジ条４２が形成されたボトル４０と係合するため、キャップ本体１００の周壁１６１の内側にネジ条１６２が設けられて螺合する形態である。口部にネジ条が形成されたボトルもガラス製、プラスチック樹脂製などのものが広く利用されており、そのような形態のボトルに対しても本発明の定量吐出キャップを取り付けることができる。このとき、キャップ本体１００の、口部４１の先端が当接する部位に、密封性を向上させるために発泡樹脂製などのパッキン１６３を挿入するようにしても良い。
【００２５】
図４は、本発明の定量吐出キャップの第三の実施形態の縦断面図である。本実施形態においては、筒部１２の上端の開口部１８にヒンジ１３１で連結されたヒンジ蓋１３０が設けられている。ヒンジ１３１と反対側に設けられた摘み１３２を引き上げることでヒンジ蓋１３０を開けて筒部１２を開口させることができる。
【００２６】
以下、本発明の定量吐出キャップを取り付けた定量吐出容器で定量吐出を行う方法について、図を用いてさらに詳しく説明する。
【００２７】
図５は、内容物３２が充填されたボトル３０の口部３１に本発明の定量吐出キャップ１が打栓嵌合により嵌合された定量吐出容器３００である。蓋１３はこの状態においては閉鎖されている。ボトル３０の上部には内容物３２が封入されていない通常の空気が入った部分があるが、空気が入った部分の容積についてはここに図示した例に限定されるものではなく、最初から中容器２０に内容物３２が入るようなレベルまで内容物３２が充填されていても特に差し支えはない。
【００２８】
ボトル３０から内容物を吐出するためには、まず図６に示すようにボトル３０を倒立させる。倒立させることにより内容物３２は口部３１側に移動して窓２５から第１計量部２６に流入する。ボトル３０の口部３１近傍に入っていた若干の空気は、ボトル３０を倒立させると窓２５から流入する内容物３２と入れ替わりに流出し、ボトル３０の底部側に移動するが、一部は中容器２０内に取り込まれたままとなり、第２計量部２７側に封入される形となる。
【００２９】
次いで、図７に示すように、ボトル３０を再度正立させると、中容器２０の第１計量部２６側にあった内容物３２が第２計量部２７側に移動し、替わりに第２計量部２７側に封入された形であった空気が第１計量部２６側に移動し、筒部１２の下端１７と筒底部２３が離隔している部分から内容物３２が底筒部２３に流入し、充填される。このとき、第１計量部２６の容積が第２計量部２７の容積よりも大きいため、第２計量部２７は内容物３２により十分充填され、内容物３２の一部は窓２５からあふれる形でボトル３０側に戻されて、第２計量部２７の容積分の内容物３２が残る。
【００３０】
次いで、蓋１３を螺解して取り外し、開口部１８を開口させ、ボトル３０を倒立させて内容物３２を吐出する。図８は、ボトル３０を倒立させて内容物３２を開口部１８から吐出している状態であり、底筒部２３およびその直上に収納されていた内容物３５は、筒部１２に流入して流れ落ち、開口部１８から吐出される。第２計量部２７に収納され、吐出されなかった内容物３６は第１計量部２６に戻る。底筒部２３およびその直上に収納される内容物３２の量は底筒部２３の容積、窓２５の大きさなどに応じた一定の量となるため、吐出量を一定量とすることができる。
【００３１】
吐出後に第１計量部２６に戻った内容物３６の量は吐出された内容物３５の分だけ当初よりも減少するため、図９に示すように、減少した分に相当する内容物３２が新たに窓２５から第１計量部２６に流入する。その結果、定量吐出容器３００は図６に示した状態と同等の状態となり、従って再度ボトル３０を正立させて、図７の状態と同様の、内容物が第２計量部２７に収納された状態とすることができる。さらに、ボトル３０を倒立させることで図８と同様の状態となり、開口部１８から一定量の内容物３５の吐出を再度行うことができる。以下同様に、正立／倒立を繰り返すことで、一定量の内容物の吐出を繰り返し行うことができる。
【００３２】
本発明の定量吐出キャップのキャップ本体は、射出成形等の公知の成形技術により種々のプラスチック樹脂を成形して作成することができる。例としては、打栓嵌合蓋の場合は、低密度ポリエチレン樹脂、直鎖状低密度ポリエチレン樹脂、高密度ポリエチレン樹脂、ブロックポリプロピレン樹脂、ランダムポリプロピレン樹脂、ホモポリプロピレン樹脂などが好適に使用できるが、これに限定されない。またネジ螺合蓋の場合は、上記の各樹脂に加え、発泡性樹脂のパッキンと組み合わせることでポリメチルメタクリレート樹脂、アクリロニトリルスチレン樹脂、ポリスチレン樹脂、ＡＢＳ樹脂なども好適に使用できるがこれらに限定されない。
【００３３】
本発明の定量吐出キャップの中容器は、射出成形等の公知の成形技術により種々のプラ
スチック樹脂を成形して作成することができる。例としては、低密度ポリエチレン樹脂、直鎖状低密度ポリエチレン樹脂、高密度ポリエチレン樹脂、ブロックポリプロピレン樹脂、ランダムポリプロピレン樹脂、ホモポリプロピレン樹脂、ポリメチルメタクリレート樹脂、アクリロニトリルスチレン樹脂、ポリスチレン樹脂、ＡＢＳ樹脂、エチレン酢酸ビニル樹脂、ポリアミド樹脂、ポリエチレンテレフタレート樹脂などが好適に使用できるが、これに限定されない。
【００３４】
本発明の定量吐出キャップを取り付ける容器は、特に限定されず、ガラス瓶、延伸ＰＥＴボトル、ブロー成形ボトルなど公知のボトルをいずれも好適に適用でき、口径と口部の嵌合構造が適合したものに取り付けることができる。
【００３５】
以上説明したように、本発明の定量吐出キャップによれば、計量スプーンなどの別用具が不要で、また容器側に計量のための特段の構造を付加する必要がなく、キャップ側のみの機能で所定の一定量の吐出が可能となるため、口径と係合構造を合わせれば容器の種類によらず適用が可能となり、かつ計量のための動作が、容器を倒立／正立／倒立（吐出）と、簡単で単純な動作だけで良く、誰でも容易に定量吐出が行える定量吐出キャップおよび定量吐出容器が得られる。
【符号の説明】
【００３６】
１・・・・定量吐出キャップ
１０、１００・・・キャップ本体
１１・・・天面板
１２・・・筒部
１３・・・蓋
１４・・・ロック部
１５・・・インナーリング
１６、１６１・・・周壁
１７・・・下端
１８・・・開口部
２０・・・中容器
２１・・・胴部
２２・・・テーパー部
２３・・・底筒部
２４・・・上端縁
２５・・・窓
２６・・・第１計量部
２７・・・第２計量部
３０、４０・・・ボトル
３１、４１・・・口部
３２・・・内容物
４２・・・ネジ条
１３０・・・ヒンジ蓋
１３１・・・ヒンジ
１３２・・・摘み
１６２・・・ネジ条
１６３・・・パッキン
３００・・・定量吐出容器
【図１】
2019069795.tif 000003
【図２】
2019069795.tif 000004
【図３】
2019069795.tif 000005
【図４】
2019069795.tif 000006
【図５】
2019069795.tif 000007
【図６】
2019069795.tif 000008
【図７】
2019069795.tif 000009
【図８】
2019069795.tif 000010
【図９】
2019069795.tif 000011